(57)【特許請求の範囲】
【請求項１】
エレベータかごに直線運動を伝えるための第１の推進システムと、
前記第１の推進システムのための制御信号を生成するコントローラと、
前記エレベータかごを保持するためのブレーキと、
エネルギー貯蔵ユニットと、
第２の推進システムと、
を備えるエレベータシステムであって、
前記コントローラが、（ｉ）前記エレベータかごの上方への移動中の故障時に前記第１の推進システムおよび前記第２の推進システムの内の少なくとも１つに動力を供給するために前記エネルギー貯蔵ユニットにアクセスし、かつ、前記エレベータかごに減速プロファイルを適用して、前記エレベータかご速度が閾値未満になるまで前記ブレーキをかけることを遅延させる、および、（ｉｉ）前記エレベータかごの上方への移動中の前記第１の推進システムでの故障時に前記第２の推進システムに動力を供給し、かつ、前記エレベータかごに減速プロファイルを適用して、前記エレベータかご速度が閾値未満になるまで前記ブレーキをかけることを遅延させる、ことの内の少なくとも１つを行うように構成される、
エレベータシステム。
【請求項２】
前記コントローラが、電源の喪失時に前記第１の推進システムに動力を供給するために前記エネルギー貯蔵ユニットにアクセスするように構成される、
請求項１に記載のエレベータシステム。
【請求項３】
前記コントローラが、前記第１の推進システムでの故障時に前記第２の推進システムを駆動するように構成される、
請求項１に記載のエレベータシステム。
【請求項４】
故障時に、前記コントローラが、９．８ｍ／ｓ2未満のエレベータかご減速度を提供するために前記第１の推進システムおよび前記第２の推進システムの内の少なくとも１つを制御する、
請求項１に記載のエレベータシステム。
【請求項５】
前記エネルギー貯蔵ユニットが、コンデンサ、電池、およびフライホイールの内の少なくとも１つを含む、
請求項１に記載のエレベータシステム。
【請求項６】
前記エネルギー貯蔵ユニットが、２０，０００ジュール超のエネルギーを蓄えるように構成される、
請求項１に記載のエレベータシステム。
【請求項７】
前記第１および第２の推進システムの各々が、リニア同期リラクタンスモータを備え、
前記リニア同期リラクタンスモータは、
複数の一次極および前記一次極の回りの巻線を有する一次回路と、
複数の二次極を有する二次回路と、
を含み、
前記一次回路が前記エレベータかごおよびガイドレールの内の一方に結合され、
前記二次回路が前記エレベータかごおよび前記ガイドレールの内の他方に結合された、
請求項１に記載のエレベータシステム。
【請求項８】
前記一次回路が前記エレベータかごに取り付けられる、
請求項７に記載のエレベータシステム。
【請求項９】
前記一次極のピッチが、前記二次極のピッチに一致する、
請求項７に記載のエレベータシステム。
【請求項１０】
前記二次極が前記ガイドレール内に形成される、
請求項７に記載のエレベータシステム。
【請求項１１】
前記一次極が、前記ガイドレールの第１の側に配置される第１の一次極、および前記ガイドレールの第２の側に配置される第２の一次極を含む、
請求項１０に記載のエレベータシステム。
【請求項１２】
前記ガイドレールが、前記エレベータかごを昇降路に沿って誘導するためのガイド面を含む、
請求項１０に記載のエレベータシステム。
【請求項１３】
前記ブレーキが、一方向ブレーキであって、
エレベータガイドレールの回りに配置された先細状の楔ガイドを有する安全ブロックと、
前記エレベータかごの下方移動時にのみ前記ガイドレールに制動力をかけるように構成された楔と、
伸長位置および後退位置をとるように構成されたバイアス部材であって、前記バイアス部材が前記伸長位置にあるときに前記楔ガイドに前記楔を配置する、前記バイアス部材と、
を備えた、一方向ブレーキであることを特徴とする、請求項１に記載のエレベータシステム。
【請求項１４】
前記伸長位置と前記後退位置との間で前記バイアス部材を選択的に位置決めするように構成されたアクチュエータをさらに備える、請求項１３に記載のエレベータシステム。
【請求項１５】
前記アクチュエータが、故障時に前記バイアス部材を前記伸長位置に位置決めする、請求項１４に記載のエレベータシステム。
【請求項１６】
前記エレベータかごの下方移動時にのみ前記ガイドレールに制動力をかけるように構成された第２の楔をさらに備える、請求項１３に記載のエレベータシステム。
【発明の詳細な説明】
【技術分野】
【０００１】
本明細書に開示される主題は、概して推進システムの分野に関し、より詳細には高度減速（enhanced deceleration）を有するエレベータ推進システムに関する。
【背景技術】
【０００２】
ロープレスエレベータシステムとも呼ばれる自走式エレベータシステムは、ロープで結ばれたシステムのロープの質量が極端に重い、および／または単一の昇降路内に複数のエレベータかごが必要とされる特定の用途（たとえば、高層ビル）で役立つ。低速自走式エレベータシステムでは、エレベータかごを停止することは、エレベータかごの遅い速度を考慮すれば、通常は円滑である。高速自走式エレベータシステムでは、たとえば電源喪失またはシステムの他の故障があるときに、上方向に作動している高速エレベータかごの減速の速度が重力加速度を上回ることがある。推力の喪失は、上方へ移動中のエレベータかごを１重力で減速させ、乗客を自由落下させることがある。摩擦力または短絡したモータ巻線がエレベータかごに対する抗力を生じさせる場合には、減速の速度は重力を超えることがあり、乗客はエレベータかごを基準にして上方へ加速する。
【発明の概要】
【課題を解決するための手段】
【０００３】
本発明の例示的な実施形態によれば、エレベータシステムが、エレベータかごに直線運動を伝えるための第１の推進システムと、第１の推進システムのための制御信号を生成するためのコントローラと、エレベータかごを保持するためのブレーキと、エネルギー貯蔵ユニットと、第２の推進システムとを含み、コントローラは、（ｉ）エレベータかごの上方移動中の故障時に、第１の推進システムおよび第２の推進システムの内の少なくとも１つに動力を供給するためにエネルギー貯蔵ユニットにアクセスし、（ｉｉ）エレベータかごの上方移動中の第１の推進システムでの故障時に第２の推進システムに動力を供給し、（ｉｉｉ）エレベータかごの上方移動中の故障時に、エレベータかご速度が閾値未満になるまでブレーキをかけることを遅延させる、ことの内の１つを行うように構成される。
【０００４】
本発明の別の例示的な実施形態によれば、エレベータシステムが、エレベータかごと、ガイドレールと、リニア同期リラクタンスモータであって、複数の一次極およびそれらの一次極の回りの巻線を有する一次回路と、複数の二次極を有する二次回路と、を含んだリニア同期リラクタンスモータと、を含み、一次回路はエレベータかごおよびガイドレールの内の一方に結合され、二次回路はエレベータかごおよびガイドレールの内の他方に結合される。
【０００５】
本発明の別の例示的な実施形態によれば、エレベータ用の一方向ブレーキが、エレベータガイドレールの回りに設置された先細状の楔ガイドを有する安全ブロックと、エレベータかごの下方移動時のみガイドレールに制動力をかけるように構成された楔と、伸長位置と後退位置をとるように構成されたバイアス部材と、を含み、バイアス部材は、バイアス部材が伸長位置にあるときに楔ガイドに楔を配置する。
【０００６】
本発明の他の態様、特長、および技法は、図面と併せて解釈される以下の説明からより明らかになるだろう。
【０００７】
ここで、類似の要素に同様の符号が付けられた図面を参照する。
【図面の簡単な説明】
【０００８】
【図１】例示的な実施形態のリニア同期磁気抵抗推進システムを有するエレベータシステムを示す図である。
【図２】例示的な実施形態の一次回路および二次回路を示す図である。
【図３】例示的な実施形態のエレベータかごの上方減速度を制御するためのフローチャートを示す図である。
【図４】例示的な実施形態の一方向ブレーキを示す図である。
【発明を実施するための形態】
【０００９】
図１は、例示的な実施形態の自走式推進システムを有するエレベータシステム１０を示す。エレベータシステム１０は、昇降路１４を移動するエレベータかご１２を含む。エレベータシステム１０は、エレベータかご１２に運動を伝えるためにエレベータかご１２に結合された一次回路１８を有するリニア同期リラクタンスモータを利用する。１つまたは複数のガイドレール１６が、エレベータかご１２が昇降路１４に沿って移動するにつれ、エレベータかご１２を誘導する働きをする。また、ガイドレール１６は、ガイドレール１６内の開口部１９に隣接して形成された複数の二次極１７を通るリニア同期リラクタンスモータに二次回路を提供する。また、二次極１７は、リニア同期リラクタンスモータの二次回路を画定する。一次回路１８およびリニア同期リラクタンスモータの二次回路の二次極１７は、図２に関してさらに詳しく説明される。第２のリニア同期リラクタンスモータは、一次回路１８およびガイドレール１６と同様に構築された一次回路１８’およびガイドレール１６’によって提供される。
【００１０】
コントローラ２０は、エレベータかご１２の運動（たとえば、上方へまたは下方へ）を制御するため、およびエレベータかご１２を停止するために一次回路１８および１８’に制御信号を提供する。コントローラ２０は、本明細書に説明される動作を実行するために記憶媒体に記憶されるコンピュータプログラムを実行する汎用マイクロプロセッサを使用して実装されてよい。代わりに、コントローラ２０は、ハードウェア（たとえば、ＡＳＩＣ、ＦＰＧＡ）内に、またはハードウェア／ソフトウェアの組合せで実装されてよい。また、コントローラ２０は、エレベータコントロールシステムの一部であってもよい。コントローラ２０は、一次回路１８および１８’に動力を供給するために電源回路網（たとえば、インバータまたは駆動装置）を含んでよい。
【００１１】
動力は電源を通してコントローラ２０および他の構成部品に供給される。図１の実施形態では、電源は、昇降路１４の全長に沿って伸長する母線（power rail）３０である。センサ３２は、ガイドレール１６を基準にしてエレベータかご１２の位置、およびより詳細にはリニア同期リラクタンスモータの二次回路での二次極１７の位置を検出する。二次極１７の位置は、レール１６内の穴１９に、一次回路１８に提供された電流ベクトルを向けるためにコントローラ２０によって使用される。エレベータかご１２の運動を制御するために他のセンサ（たとえば、速度センサ、加速度計）が使用されてよいことが理解される。エネルギー貯蔵ユニット３４は、エレベータかご１２が上方へ移動し、故障が発生するときに（たとえば、緊急停止）、エレベータかご１２の減速度を低減するために使用されるエネルギーを蓄える。エネルギー貯蔵ユニット３４は、本明細書にさらに詳しく説明される。ブレーキ３６（たとえば、ブレーキまたは保持装置）は、エレベータかご１２の移動を停止するためにコントローラ２０によって制御される。
【００１２】
図２は、例示的な実施形態でのガイドレール１６および一次回路１８の平面図である。ガイドレール１６は、基部４２に垂直に伸長するリブ４０を含む。基部４２は昇降路１４の内壁に取り付けられる。ガイドレール１６は、低炭素鋼等の強磁性体から作られている。上述されるように、ガイドレール１６の開口部１９がリニア同期リラクタンスモータの二次回路の二次極１７を画定する。リブ４０は、エレベータかご１２のガイド面を提供する末端部４３を有する。ローラ（図示せず）が、リブ４０のガイド面に沿ってエレベータかご１２を誘導する。
【００１３】
一次回路１８は、たとえば強磁性体（たとえば、鋼、鉄）の積層によって形成された複数の一次極４４を含む。一次極４４は、リブ４０の両側に配置される。一次極４４は、二次極１７と位置合わせされている。一次極４４は、ボルト締め、溶接等によって一次極４４に取り付けられたマウント４６を通してエレベータかご１２に結合される。巻線５０は一次極４４を取り囲み、従来の同期リラクタンスモータ固定子として働くが、直線的に配列される。コントローラ２０からの制御信号（たとえば、３相正弦波電流）が巻線５０に印加されて、エレベータかご１２に直線運動を伝える。一次極４４からの磁束は等しい大きさの２つのエアギャップ５２を通過して、磁気吸引力の平衡を保つ。一次極４４および巻線５０は、エレベータかご１２の全長に沿って配置され、容量および／または効率を高めるためにエレベータかご１２の全長を超えてもよい。一次極４４のピッチは二次極１７のピッチに等しい。一次極４４はエレベータかご１２に結合されて示され、二次極１７はガイドレール１６内に形成されているが、一次極４４および二次極１７の位置は逆にされてよいことが理解される。
【００１４】
図１の実施形態は、かごが上方へ移動中であり、故障が発生したときにエレベータかご１２の減速度を低減するための構成部品を含む。例示的な実施形態では、自走式エレベータは２ｍ／ｓを超える速度で上方へ移動する。故障は、電源の喪失、推進システムの故障、緊急停止等のかごの即座停止を開始する事象を指し、多くの他の事象を含むことがある。図１に示されるように、エレベータシステム１０は、故障状態で上方に移動中のエレベータかご１２の減速度を制御する上で使用するためのエネルギーを蓄えるエネルギー貯蔵ユニット３４を含む。たとえば、万一電源３０から電源が損失した場合には、上方へ移動中のエレベータかごは、通常は突然停止するだろう。コントローラ２０が電源喪失を検出すると、コントローラ２０は、推進システム（たとえば、一次回路１８および１８’）に動力を供給し、エレベータかご１２に円滑な減速を提供するためにエネルギー貯蔵ユニット３４にアクセスする。万一主電源が喪失した場合にも、推進システムは依然として正味上方推力を提供して、かごエレベータ１２がゼロ速度近くに達し、制動／保持機構を係合できるまで減速速度を制限する。エネルギー貯蔵ユニット３４は、コンデンサ、電池、フライホイール、または他のエネルギー貯蔵装置を含んでもよい。例示的な実施形態では、エネルギー貯蔵ユニット３４は約２０，０００ジュール超のエネルギーを貯蔵できる。
【００１５】
図１の実施形態は、エレベータ１２の各側に１台ずつ、２台のリニア同期リラクタンスモータ１８および１８’の形の二重推進システムを含む。第１の推進システムおよび第２の推進システムは、ともにエレベータかご１２の通常移動中に使用される。第２の推進システムは、第１の推進システムで故障が発生するときに、上方へ移動中のエレベータかご１２の円滑な減速を提供する。たとえば、コントローラ２０が第１の推進システムの一次回路１８で故障を検出する場合、次いでコントローラ２０は、第２の推進システムの一次回路１８’に制御信号を提供してよい。コントローラ２０は、突然に停止するよりも、第２の推進システムに、適切な上方速度に達するまで上方へ移動中のエレベータかご１２を円滑に減速するように命令する。第２の推進システムに加えて、実施形態は、冗長な駆動装置（たとえば、インバータ）、冗長なコントローラ、冗長な電源供給ライン、およびエレベータかごに上方への並進を提供するために使用される他の冗長な構成部品を含んでよい。
【００１６】
エネルギー貯蔵ユニット３４および複数の推進構成部品を使用することに加えて、エレベータシステム１０は、エレベータかご１２の上方への速度が上限未満になるまで制動装置（たとえば、停止装置、速度制限装置、および／または保持装置）の係合を遅延させてよい。図１を参照すると、コントローラ２０が故障を検出し、かごが上方へ移動中である場合、コントローラ２０は、エレベータかご１２の上方への速度が閾値未満になるまで制動装置３６を作動させるのを遅延させる。たとえば、コントローラ２０は速度センサから速度信号を取得し、上方への速度が２ｍ／ｓ未満になるまで制動装置３６を係合するのを遅延してよい。
【００１７】
図３は、故障検出時に上方へ移動中のエレベータかご１２の減速度を低減する際にコントローラ２０によって実行される例示的な動作のフローチャートである。プロセスは、コントローラ２０が、故障が発生したかどうかを判断するステップ１００で開始する。上述したように、故障はエレベータかご１２の緊急停止を開始する任意の事象であってよい。故障が存在しない場合、コントローラは通常の動作モードに留まる。故障が検出される場合、フローは、コントローラ２０が、エレベータかご１２が上方へ移動中であるかどうかを判断するステップ１０２に進む。移動中ではない場合、フローは、標準的な故障停止プロセスが利用されるステップ１０４に進む。
【００１８】
エレベータかご１２が上方へ移動中である場合、フローは、コントローラ２０が多様な障害が存在するかどうかを判断するステップ１０６、１１０、および１１４に進む。コントローラ２０がステップ１０６で電源喪失を検出する場合、フローは、コントローラ２０がエネルギー貯蔵ユニット３４から動力を引き出して、推進システムに動力を供給し、円滑な停止が達成されるまでエレベータかご１２に上方への推力を提供するステップ１０８に進む。コントローラ２０が、ステップ１１０で推進システムの内の一方で故障が発生したと判断する場合、フローは、コントローラ２０がアクティブな推進システムを駆動して、円滑な停止が達成されるまでエレベータかご１２に上方への推力を提供するステップ１１２に進む。これは、故障のある推進システムからの推力の喪失に対処するためにアクティブな推進システムの動力を増強することを伴ってよい。たとえば、第２の推進システムに障害がある場合、次いで第１の推進システムはそれに応じて制御され、逆の場合も同じである。コントローラ２０がステップ１１４で、電源喪失と推進システム障害の両方が発生したと判断する場合、フローは、コントローラ２０がエネルギー貯蔵ユニット３４から動力を引き出し、アクティブな推進システムを制御して、円滑な停止が達成されるまでエレベータかご１２に上方への推力を提供するステップ１１６に進む。
【００１９】
ステップ１０６、１１０、または１１４で検出された故障と組み合わせて、フローは、コントローラ２０が減速プロファイルを生成し、推進システム（複数の場合がある）に制御信号を提供して、上方へ移動中のエレベータかご１２を円滑に減速させるステップ１１７に進む。例示的な実施形態では、減速プロフィルは１Ｇ（つまり、９．８１ｍ／ｓ2の重力加速度）未満のエレベータかご減速度を提供し、例示的な実施形態では、減速プロファイルは５ｍ／ｓ2未満のエレベータかご減速度を提供する。ステップ１１８で、コントローラ２０は、エレベータかごの上方への速度を監視する。ステップ１２０で、コントローラ２０は、エレベータかご１２の上方への速度が閾値未満になるまで制動装置の作動を遅延させる。動作１１７、１１８、および１２０は、ステップ１０６、１１０、または１１４では対処されない故障状況下で実行されてもよい。したがって、動作１１７、１１８、および１２０は、ステップ１０６、１１０、および１１４での故障とは無関係であってもよい。
【００２０】
図４は、例示的な実施形態の一方向ブレーキ２００を示す。エレベータかごの上方への移動中に故障が発生すると、一方向ブレーキ２００は、いったんエレベータかごが下方へ移動し始めると制動力をかける。したがって、上方へ移動中のエレベータかごは故障時に突然の停止を経験するのではなく、むしろ（重力に起因して）減速し、次いでかごが下方へ移動し始めると停止する。一方向ブレーキ２００は、図３の減速特長と併せて使用されてもよい。
【００２１】
一方向ブレーキ２００は、ガイドレール２０４に沿って移動する安全ブロック２０２を含む。安全ブロック２０２は、技術で既知であるようにエレベータかご１２に取り付けられている。安全ブロック２０２は、ガイドレール２０４に向かって先細る壁を有する楔ガイド２０６を含む。バイアス部材２０８（たとえば、ばね）は、故障発生時に楔ガイド２０６の中に楔２１０を選択的に移動させる。動力が供給されるとき、アクチュエータ２１２（たとえば、ソレノイドおよびプランジャ）はバイアス部材２０８を後退させ、その結果、楔２１０は楔ガイド２０６から後退する。動力が供給されていないとき、アクチュエータ２１２は、バイアス部材２０８が楔ガイド２０６の中に楔２１０を伸長できるようにする。
【００２２】
通常動作中、アクチュエータ２１２には動力が供給され、バイアス部材２０８を後退させ、その結果、楔２１０は重力を介して楔ガイド２０６から後退する。故障発生時、アクチュエータ２１２は（たとえば、電源の喪失により、またはコマンド信号から）オフにされる。アクチュエータ２１２がオフである状態で、バイアス部材２０８は楔ガイド２０６の中に楔２１０を伸長させる。伸長状態で、エレベータかごが上方へ移動している場合、楔２１０とレール２０４との間の抵抗力は小さく、それによって故障中の上方へ移動中のエレベータかごの急停止を妨げる。いったんエレベータかごが上方へ移動するのを止め、初期の下方運動を始めると、楔ガイド２０６はレール２０４に対して楔２１０を駆動させて、エレベータかごを停止させ、保持するためにレール２０４に制動力をかける。故障が解消されると、アクチュエータ２１２は電源を入れられ、バイアス部材２０８を後退位置に後退させる。楔２１０は、エレベータかごが上方へ移動するまでレール２０４に対して押し付けられたままとなり、その時点で楔は楔ガイド２０６から落下する。
【００２３】
一方向ブレーキ２００は、動作の改善のために冗長なアクチュエータ２１２、バイアス部材２０８、および楔２１０を有する。所望される量の制動力を供給するために、複数の一方向ブレーキ２００が１台のエレベータかご上で利用されてよい。
【００２４】
本明細書で使用される専門用語は、特定の実施形態を説明するためだけであり、本発明を制限することを目的としていない。本発明の説明は、例示および説明のために提示されているが、本発明の説明は網羅的となること、または開示されている形での発明に制限されることを目的としていない。説明されていない本明細書に対する多くの変更形態、変形形態、改変形態、置換、または同等な配置は、本発明の範囲および精神を逸脱することなく当業者に明らかになるだろう。さらに、本発明の多様な実施形態が説明されてきたが、本発明の態様が説明されている実施形態の内のいくつかしか含まないことがあることが理解されるべきである。したがって、本発明は上記説明によって制限されていると見られるべきではなく、添付特許請求の範囲によってのみ制限される。
【図１】
0006267727.tif 000002
【図２】
0006267727.tif 000003
【図３】
0006267727.tif 000004
【図４】
0006267727.tif 000005